(57)【要約】      （修正有）【課題】動物の引き留め力が後方に働いたときの輪状に動物に沿っているホールド用紐条体に捻りが生じ、連結用紐条体に無理な力が働くのを軽減できるようにする。【解決手段】横断連結部１３、１３を設けた複合連結環５、６、動物２の前足２ｂの前後で腹部および胸部側から背中側に向け当てがうように一対配され、一方の両端部同士と他方の両端部同士とが、各複合連結環５、６の横断連結部１３、１３で仕切られた一方の側５ａ、６ａそれぞれに個別に引き寄せ連結されたホールド用紐条体３、４、複合連結環５、６の他方の側５ｂ、６ｂに基端部が個別に連結され、各先端部にリード紐７や図示しない係留紐と連結する連結環８、９が設けられた連結用紐条体１１、１２、各横断連結部１３、１３に、基端部が個別に連結され、各先端部にこれら連結、連結解除する繋ぎ具１４が設けられている繋ぎ用紐条体１５、１６、を備えたことにより、上記の目的を達成する。【選択図】図１
2010166902.tif 000002
【特許請求の範囲】
【請求項１】
途中を横断する横断連結部が設けられた一対の複合連結環、
動物の胴体部の前足の前後で腹部および胸部側から背中側に向け当てがうように一対配され、一方の両端部同士が一方の複合連結環の横断連結部で仕切られた一方の側に引き寄せ連結され、他方の両端部同士が他方の複合連結環の横断連結部で仕切られた一方の側に引き寄せ連結されたホールド用紐条体、
一対の複合連結環の横断連結部で仕切られた他方の側に基端部が個別に連結され、各先端部にリード紐や係留紐と連結する連結環が設けられた一対の連結用紐条体、
前記一対の複合連結環の、各横断連結部に、基端部が個別に連結され、各先端部にこれら先端部同士を連結してホールド用紐条体を輪状に繋ぎ、またその繋ぎを解除する繋ぎ具が設けられている繋ぎ用紐条体、
を備えたことを特徴とする動物用の胴輪。
【請求項２】
途中を横断する横断連結部が設けられ、各横断連結部の位置でこれらが対向し合う側に凸の屈曲点を有して一方の側と他方の側とが屈曲した一対の複合連結環、
動物の胴体部の前足の前後で腹部および胸部側から背中側に向け当てがうように一対配され、一方の両端部同士が一方の複合連結環の横断連結部で仕切られた一方の側に引き寄せ連結され、他方の両端部同士が他方の複合連結環の横断連結部で仕切られた他方の側に引き寄せ連結されたホールド用紐条体、
一対の複合連結環の横断連結部で仕切られた他方の側に基端部が個別に連結され、各先端部にリード紐や係留紐と連結する連結環が設けられた一対の連結用紐条体、
前記一対の複合連結環の、各横断連結部に、基端部が個別に連結され、各先端部にこれら先端部同士を連結してホールド用紐条体を輪状に繋ぎ、またその繋ぎを解除する繋ぎ具が設けられている繋ぎ用紐条体、
を備えたことを特徴とする動物用の胴輪。
【請求項３】
複合連結環は、円環形態、前記一方側および他方側間が長径となる楕円形態ないしは長円形態であることを特徴とする請求項１、２のいずれか１項に記載の動物用の胴輪。
【請求項４】
繋ぎ具は、弾性的に係合、係合解除する雌雄係合具であることを特徴とする請求項１〜３のいずれか１項に記載の動物用連結具。
【請求項５】
横断連結部は、複合連結環に両端部が接合されていることを特徴とする請求項１〜４のいずれか１項に記載の動物用の胴輪。
【請求項６】
横断連結部は、複合連結環の胴輪使用時の外側面に設けられていることを特徴とする請求項１〜５のいずれか１項に記載の動物用の胴輪。
【請求項７】
横断連結部は、複合連結環の胴輪使用時の内側面に設けられていることを特徴とする請求項１〜５のいずれか１項に記載の動物用の胴輪。
【請求項８】
横断連結部は、複合連結環の胴輪使用時の内外面の両側に設けられていることを特徴とする請求項１〜４のいずれか１項に記載の動物用の胴輪。
【請求項９】
横断連結部は、複合連結環の胴輪使用時の内外面の両側に横断連結竿が個別に接合されていることを特徴とする請求項８に記載の動物用の胴輪。
【請求項１０】
横断連結部は、複合連結環の胴輪使用時の内外側面の双方に位置する横断連結竿が連続した矩形リングであり、複合連結環の横断位置外回りに嵌め合されていることを特徴とする請求項８に記載の動物用の胴輪。
【請求項１１】
繋ぎ用紐条体は、内側面の横断連結竿、外側面の横断連結竿、内側面および外側面の横断連結竿双方、のいずれかに連結していることを特徴とする請求項８〜１０のいずれか１項に記載の動物用の胴輪。
【発明の詳細な説明】
【技術分野】
【０００１】
本発明は、主として犬や猫などの動物用の胴輪に関し、詳しくは、動物の胴体部の前足の前後に当てがう一対のホールド用紐状体、これら一対のホールド用紐条体の一端側の端部同士と、他端側の端部同士とを輪状に繋ぐ繋ぎ用紐条体、および一対のホールド用紐条体の一端側の端部同士と、他端側の端部同士とを引き紐や係留紐と連結する連結用紐条体とを備えた動物用の胴輪に関するものである。
【背景技術】
【０００２】
このような動物用の胴輪は、特許文献１、２などで既に知られている。特許文献１は、一対のホールド用帯状体の、一端側の端部同士と、他端側の端部同士とも、ほぼ三角形の連結部材の各特定の２辺ずつにそれぞれ連結されると共に、各連結部材の残る一辺に基端部を連結した各連結用帯状体を、それらの先端部に設けた連結環にて引き紐や係留紐に連結できるようにするのに併せ、各連結用帯状体の内側に繋ぎ用帯状体を結着し、これら各繋ぎ用帯状体の先端部に設けた雌雄係合具を弾性係合させることでホールド用帯状体を輪状に繋いで動物の胴部に装着できるようにした動物用の胴輪を開示している。
【０００３】
また、特許文献２は、一対のホールド用帯状体の一端側の端部同士をクロスさせて結着するのに併せ、他端側の端部同士もクロスさせて結着し、一方のホールド用帯状体の両端部に設けた雌雄係合具を弾性係合させることで、一対のホールド用帯状体を輪状に繋いで動物に装着できるようにするのに併せ、他方のホールド用帯状体の両端部に設けた連結環によって引き紐や係留紐に連結できるようにした動物用の胴輪を開示している。
【０００４】
これらは、いずれも、両端部で互いに連結ないしは結着された一対のホールド用帯状体を、動物の腹側から背側に向けて当てがい、両端部の雌雄係合具を弾性係合させるだけで輪状にして動物に簡易に装着でき、この装着状態で両端部の連結環にて引き紐や係留紐に連結することで、引き回しや係留ができる。
【先行技術文献】
【特許文献】
【０００５】
【特許文献１】特開平５−１２３０７３号公報
【特許文献２】特開平１１−２０６２６０号公報
【発明の概要】
【発明が解決しようとする課題】
【０００６】
しかし、特許文献１に記載のものは、紐条体として扁平な帯状体を用いたもので、厚み方向には腰が弱く柔軟に屈曲しても、幅方向には腰が強く屈曲できない。このため、特許文献１、２に記載の胴輪は、ホールド用帯状体および繋ぎ用帯状体は、厚み方向の屈曲によって動物の胴部まわりに柔軟にフィットできるが、連結用帯状体は動物の前後に幅方向が向いて前後方向に屈曲できない。このため、これら連結用帯状体に引き紐を連結して動物を引き回すのに、先行する動物の動きを人が後方から引き紐の緊張を保ちながら制限し、あるいは係留紐が緊張状態となった範囲で係留点側から強い引き留め力が働くとき、連結用帯状体が屈曲せずにホールド用帯状体との連結部を起点に後方に傾き、繋ぎ用帯状体によって輪状にされて胴部の胴まわりに柔軟に沿っているのを、後方にきつく捻ってしまうので、動物に対しごわつきによる不快感を与えるし、毛を局部的ではあるが強く擦って傷めてしまう問題もある。同時に、連結用帯状体も無理な曲げ力や捻り力を受けるので耐久性が低下する。しかも、連結用紐条体への力の掛かり具合によては、ホールド用紐条体との間の自由度の低さから、前側のホールド用紐条体が犬などの前部側に位置ずれするし、前部側に外れることが時としてある。
【０００７】
一方、特許文献２に記載のものは、一対のホールド用帯状体における、係合具を持った側の端部同士は、動物胴の背側で胴を背筋にほぼ直角に向けて係合し合うようにして一対のホールド用帯状体が胴の周りに柔軟に沿わせられるようにしながら、連結環を持った連結用端部同士を、動物の背中面に沿って寝た状態で動物の後方に向け近づき合うように斜め後ろに向けられるので、一見、連結用帯状体に動物の後方からの引き留め力が働いても無理な力が働かないものと思える。
【０００８】
しかし、連結環を持った連結用端部同士は、それら２つの連結環に引き紐や係留紐の先端にあるナス環などの１つの連結具と連結されるため、引き紐や係留紐が緊張する状態で引っ張り力が働く間、１つの連結具は、２つの連結環が縦向きに合わさる状態で安定し、背中面に沿うように後方へ近づき合いながら寝ている連結用端部同士を捻り起こす現象を生む。この連結用端部の捻り起こし現象は、引っ張り方向が連結用端部同士の１対のホールド用帯状体の交差決着部からの自然な延び方向から外れるほど、連結用端部同士自体に無理な力が働くことになる。しかも、この力は、引き紐や係留紐の後方への引っ張り方向の傾き角度が動物の背中面に近づくほど大きくなり、また、これを超え動物の背中面よりも下側に傾斜するほどさらに大きくなるので、連結用端部同士が傷みやすいし、雌雄係合具を持ったホールド用帯状体をも同程度に捻ってしまうので、動物への不快感、毛並みの痛み、雌雄係合具を持った繋ぎ用端部およびそれを持ったホールド用帯状体を傷める原因になる。
【０００９】
これには、特許文献２が開示するように、一対のホールド用帯状体の交差部をピンで結着して、連結用端部の自由度を高めると幾分緩和されるように対応できても、ピン連結部に無理な力が集中するのでかえって早期損傷の原因になる。これを、特許文献１に記載の三角形をした連結部材などを用いた不自由な結着構造にするのでは対応できない。
【００１０】
本発明の目的は、帯状の紐条体であっても、引き紐や係留紐による動物の引き留め力が後方に働いたときの輪状に動物に沿っているホールド用紐条体に捻りが生じ、連結用紐条体に無理な力が働くのを軽減し、どんな場合も外れることのない動物用の胴輪を提供することにある。
【課題を解決するための手段】
【００１１】
上記のような課題を解決するために、本発明の動物用の胴輪は、途中を横断する横断連結部が設けられた一対の複合連結環、動物の胴体部の前足の前後で腹部および胸部側から背中側に向け当てがうように一対配され、一方の両端部同士が左側の複合連結環の横断連結部で仕切られた一方の側に引き寄せ連結され、他方の両端部同士が右側の複合連結環の横断連結部で仕切られた一方の側に引き寄せ連結されたホールド用紐条体、一対の複合連結環の横断連結部で仕切られた他方の側に基端部が個別に連結され、各先端部にリード紐や係留紐と連結する連結環が設けられた一対の連結用紐条体、前記一対の複合連結環の、各横断連結部に、基端部が個別に連結され、各先端部にこれら先端部を連結してホールド用紐条体を輪状に繋ぎ、またその繋ぎを解除する繋ぎ具が設けられている繋ぎ用紐条体、を備えたことを特徴としている。
【００１２】
このような構成では、一対のホールド用紐状体を、動物の胴体部の前足の前後で腹部および胸部側から背中側に向け当てがうと、それらの一端側の端部同士と、他端側の端部同士とをそれぞれ一方の側に連結している各複合連結環が動物の前後方向に扁平方向に向くので、各複合連結環の横断連結部に個別に連結された各繋ぎ用紐条体の端部同士を動物の背中側で突き合わせられる。そこで、これら各繋ぎ用紐条体の端部同士を雌雄係合具などによる繋ぎ具で繋ぐことにより、特許文献１、２に記載の胴輪と同様に、一対のホールド用紐条体を輪状にして動物の胴部などに腰の弱い厚み方向の屈曲を伴い柔軟に沿わせて装着できる。特に、この装着状態では、各複合連結環の他方の側に個別に連結されている各連結用紐条体は、各複合連結環の一方の側に個別に連結した各一対のホールド用紐条体の一方の側の端部同士と、他方の側の端部同士と、横断連結部に連結されている前記各繋ぎ用紐条体の端部同士と、に対しそれらの上側に独立して位置するので、複合連結環の他方の側がなす動物の前後に向く湾曲に沿って前後に移動できる自由が与えられる。このため、各連結用紐条体は、これら連結用紐条体の先端に連結された２つの連結環が、引き紐や係留紐の先端の１つの連結具と連結されて、引っ張り方向が動物の前後方向に変化しても、自身の位置および傾きを前記移動できる範囲で前後方向に変えて広範囲に追従することで、捻りや幅方向への曲げを受けず、移動できる範囲を超えても捻りや無理な傾き力を受け始める程度に納まる。
【００１３】
上記において、さらに、複合連結環は、円環形態、前記一方側および他方側間が長径となる楕円形態ないしは長円形態であることを特徴とし、場合によって、横断連結部の位置でこれらが対向し合う側に凸の屈曲点を有して一方の側と他方の側とが屈曲したものとすることができる。
【００１４】
このような構成では、上記に加え、さらに、円環形態の複合連結環では、円環形態の径の大きさ、楕円形態、長円形態の複合連結環では、長径方向、長手方向への広がり度に応じ、各連結用紐条体の移動範囲が得られ、楕円形態、長円形態の複合連結環では、特に、幅方向に大きくならない利点がある。いずれの形態でも、横断連結部を複合連結環の前記一方側に片寄らせるほど、同じ大きさのものどうしで、他方側での連結用紐条体の移動範囲を大きくできる利点がある。特に、各複合連結環の一方の側は、一対のホールド用紐条体の一方および他方の端部同士が繋ぎ用紐条体と輪状に繋がっての動物への装着によって、動物の胴まわりに沿わされ、動物に苦痛や違和感を与えないのに対し、一方の側に対し上記のように屈曲している他方の側は、屈曲していない複合連結環の場合に比べ、屈曲点部、つまり横断連結部位置から上端に向けて、動物の胴まわりおよびそれに沿っている繋ぎ用紐条体から離れていく姿勢、換言すると斜め方向に立ち上がっていく姿勢となる。これによって、連結用紐条体は、複合連結環の他方の側への連結部が繋ぎ用紐条体から離れて、従って接触し合うことなく、前後移動ができるようになる。また、このような複合連結環の屈曲形状は、複合連結環の一方の側へのホールド用紐条体の連結部、他方の側への連結用紐条体の連結部、横断連結部への繋ぎ用紐条体の連結部、の相互間の距離を屈曲していない場合に比べて大きくするので、それぞれの連結作業の自由度を高められる。
【００１５】
上記において、さらに、繋ぎ具はどのようなものを採用してもよいが、弾性的に係合、係合解除する雌雄係合具であることを特徴とすることができる。
【００１６】
このような構成では、上記に加え、さらに、繋ぎ用紐条体同士の先端部に設けられる連結具で連結、連結解除するのに、雌雄係合具を用いることで、それらの間の弾性的な係脱機能により簡易に実行できる。
【００１７】
上記において、さらに、横断連結部は、複合連結環に両端部が接合されていることを特徴とすることができる。
【００１８】
このような構成では、上記において、さらに、金属の接合作業を含むが、全体を線材だけで形成きる。
【００１９】
上記において、さらに、横断連結部は、複合連結環の胴輪使用時の外側面に設けられていることを特徴とすることができる。
【００２０】
このような構成では、上記に加え、さらに、繋ぎ紐条体は、連結用紐条体とは複合連結環上で分離独立して、ホールド用紐条体を輪状に繋いで動物の胴まわりに沿わせているだけの、外力を受けにくく、損傷しにくい耐久度の高い存在で、複合連結環の外側面に位置する横断連結部に連結することで、外側面から及ぶ外力を率先して受けて、それよりも内側となる一対のホールド用紐条体の連結端部および連結用紐条体の連結端部を保護することができる。
【００２１】
上記において、さらに、横断連結部は、複合連結環の胴輪使用時の内側面に設けられていることを特徴とすることができる。
【００２２】
このような構成では、上記に加え、さらに、繋ぎ紐条体は、連結用紐条体とは複合連結環上で分離独立して、ホールド用紐条体を輪状に繋いで動物の胴まわりに沿わせているだけの、外力を受けにくく、損傷しにくい耐久度の高い存在であるが、複合連結環の内側面に接合された横断連結部に連結されることで、一対のホールド用紐条体の連結端部および連結用紐条体の連結端部よりも内側に位置して、外側に単独に突出し外力を集中にして受けるのを防止しながら、外力は最外面に位置することになる一対のホールド用紐条体の連
結端部および連結用紐条体の連結端部が従来通り分担しあって軽微に受けられるようになる。
【００２３】
上記において、さらに、横断連結部は、複合連結環の胴輪使用時の内外面の両側に設けられていることを特徴とすることができる。
【００２４】
このような構成では、上記に加え、さらに、繋ぎ用紐条体は、複合連結環の内外側面に設けられた両横断連結部の双方に連結することで、複合連結環上で自由な連結用紐条体に対する独立姿勢を安定させられやすく、特許文献１に記載のもののように繋ぎ用紐条体および連結用紐条体が内外に位置して結着されている場合のような連結用紐条体に繋ぎ作業を邪魔されにくくなる。また、繋ぎ用紐条体は、複合連結環の内外面に設けられた両横断連結部のうちの、内側面の横断連結部に連結されることで、外側面の横断連結部が繋ぎ用紐条体の連結端部の外側に位置して外力から保護するのはもとより、ホールド用紐条体の連結端部および連結用紐条体の連結部よりも外側に位置させてそれらをも外力から保護することができる。
【００２５】
上記において、さらに、横断連結部は、複合連結環の胴輪使用時の内外側面の双方に横断連結竿が個別に接合されていることを特徴とすることができるが、複合連結環の胴輪使用時の内外面の両側に位置する横断連結竿が連続した矩形リングとして、複合連結環の横断位置外回りに嵌め合されていることを特徴とすることができる。
【００２６】
このような後者の構成によれば、上記に加え、さらに、複合連結環の内外側面の双方に位置する横断連結部が、複合連結環の横断位置外回りに嵌め合された矩形リングであると、複合連結環の一対のホールド用紐条体の各連結端部と連結用紐条体の連結端部との間で、復号連結環上で揺動するので、連結用紐条体の動物の前後方向への傾きの自由度を高められる。
【００２７】
上記において、さらに、繋ぎ用紐条体は、内側面の横断連結竿、外側面の横断連結竿、内側面および外側面の横断連結竿双方、のいずれかに連結していることを特徴とすることができ、選択の自由度が高い。
【００２８】
本発明のそれ以上の目的および特徴は、以下の詳細な説明および図面の記載によって明らかになる。本発明の各特徴はそれ単独で、あるいは可能な限り種々な組み合わせで複合して採用することができる。
【発明の効果】
【００２９】
本発明の動物用の胴輪によれば、特許文献１、２に記載の胴輪と同様に、一対のホールド用紐条体を輪状に繋いで動物の胴部などに腰の弱い厚み方向の屈曲を伴い柔軟に沿わせて装着できるようにするのに、２つの複合連結環の、各一方側に、一対のホールド用紐条体の一方の端部同士と、他方の端部同士とを個別に連結し、前記一方側とこれに反対の他方との間で複合連結環を横断している横断連結部に各繋ぎ紐条体を連結して繋ぎ条件を満足した上で、各連結用紐条体は、複合連結環の前記一方側と反対の前記他方側と連結することにより、この連結した複合連結環の他方側がなす動物の前後に向く湾曲に沿って前後に移動できる自由を連結用紐条体に与えられ、この結果、その移動できる範囲で、各連結用紐条体は、これら連結用紐条体の先端に連結された２つの連結環が、引き紐や係留紐の先端の１つの連結具と連結されて引き合わせられた状態で、引っ張り方向が動物の前後方向に変化しても、自身の位置および傾き、を動物の前後方向に変えて広範囲に追従して捻りや幅方向への曲げを受けず、移動できる範囲を超え始めて捻りや無理な傾き力を受け始める程度となるので、動物に与える違和感や毛並みの傷み、胴輪の耐久性を高められる。また、どんな場合でも前側のホールド用紐条体が前部側に外れるのは勿論、位置ずれするようなことはない。
【図面の簡単な説明】
【００３０】
【図１】本発明の実施の形態に係る動物用の胴輪の１つの例を示す側面図である。
【図２】図１の動物用連結具の腰部の側面図である。
【図３】本発明の実施の形態に係る動物用の胴輪の別の例を示す斜視図である。
【図４】本発明の実施の形態に係る動物用の胴輪の他の例を示す要部の側面図である。
【図５】図４の断面図である。
【図６】図４の斜視図である
【図７】本発明の実施の形態に係る動物用の胴輪の今１つの例を示す要部の正面図および表側から見た斜視図である。
【図８】図７の背面側から見た斜視図である。
【図９】本発明の実施の形態に係る動物用の胴輪のさらに別の例を示す要部の平面図および正面図である。
【図１０】本発明の実施の形態に係る動物用の胴輪のさらに他の例を示す要部の平面図および正面図である。
【図１１】本発明の実施の形態に係る動物用の胴輪のさらに今１つの例を示す要部の平面図および正面図である。
【図１２】本発明の実施の形態に係る動物用の胴輪の上記とは別の例を示す要部の平面図および正面図である。
【図１３】図１２の要部の背面図である。
【発明を実施するための形態】
【００３１】
以下、本発明の実施の形態につき図面に基づいて説明し、本発明の理解に供する。なお、以下の説明は本発明の具体例であって、特許請求の範囲の記載事項を限定するものではない。
【００３２】
図１、図２の例、図３の例、図４〜図６の例を、本発明の実施の形態に係る動物用の胴輪の幾つかの具体例として代表的に示し、共通する部材や部分には同一の符号を付して重複する説明および図示は省略する。これらの動物用の胴輪１は、いずれも、途中を横断する横断連結部１３、１３が設けられた左右一対の複合連結環５、６、図１、図３に示すように、動物２の胴体部２ａの前足２ｂの前後で腹部および胸部側から背中側に向け当てがうように前後に一対配されて左右に延び、一方の両端部同士が左側の複合連結環５の横断連結部１３で仕切られた一方の側５ａに引き寄せ連結され、他方の両端部同士が右側の複合連結環６の横断連結部１３で仕切られた一方の側６ａに引き寄せ連結されたホールド用紐条体３、４、一対の複合連結環５、６の横断連結部１３で仕切られた他方の側５ｂ、６ｂに基端部が個別に連結され、各先端部にリード紐７や図示しない係留紐と連結する連結環８、９が設けられた左右一対の連結用紐条体１１、１２、前記一対の複合連結環５、６の、各横断連結部１３、１３に、基端部が個別に連結され、各先端部にこれら先端部を連結してホールド用紐条体３、４を輪状に繋ぎ、またその繋ぎを解除する繋ぎ具１４が設けられている繋ぎ用紐条体１５、１６、を備えている。
【００３３】
これにより、一対のホールド用紐状体３、４を、動物２の胴体部２ａの前足２ｂの前後で腹部および胸部側から背中側に向け当てがうと、それらの一端側の端部同士と、他端側の端部同士とをそれぞれ一方の側５ａ、６ａに連結している各複合連結環５、６が動物２の前後方向に扁平方向に向くので、各複合連結環５、６の横断連結部１３、１３に個別に連結された各繋ぎ用紐条体１５、１６の端部同士を動物２の背中側で突き合わせられる。そこで、これら各繋ぎ用紐条体１５、１６の端部同士を雌雄係合具１４ａ、１４ｂなどによる繋ぎ具１４で繋ぐことにより、特許文献１、２に記載の胴輪と同様に、一対のホールド用紐条体３、４を輪状にして動物２の胴部２ａなどに腰の弱い厚み方向の屈曲を伴い柔軟に沿わせて図１に示すように装着できる。
【００３４】
特に、この装着状態では、各複合連結環５、６の他方の側５ｂ、６ｂに個別に連結されている各連結用紐条体１１、１２は、各複合連結環５、６の一方の側５ａ、６ａに個別に連結した各一対のホールド用紐条体３、４の一方の側の端部同士と、他方の側の端部同士と、横断連結部１３、１３に連結されている前記各繋ぎ用紐条体１５、１６の端部同士と、に対しそれらの上側に独立して位置するので、複合連結環５、６の他方の側５ｂ、６ｂがなす動物２の前後に向く湾曲形状に沿って前後に移動できる自由が与えられる。このため、各連結用紐条体１１、１２は、図１、図２、図３、図４に示すように、これら連結用紐条体１１、１２の先端に連結された２つの連結環８、９が、引き紐７や図示しない係留紐の先端のナス環２１などである１つの連結具と図１に示すように連結されて、引っ張り方向が動物２の前後方向に変化しても、自身の位置および傾きを前記移動できる範囲で前後方向に変えて広範囲に追従することで、捻りや幅方向への曲げを受けず、移動できる範囲を超えても捻りや無理な傾き力を受け始める程度に納まる。
【００３５】
以上を要約すると、特許文献１、２に記載の胴輪と同様に、一対のホールド用紐条体３、４を輪状にして動物２の胴部１ａなどに腰の弱い厚み方向の屈曲を伴い柔軟に沿わせて装着できるようにするのに、２つの複合連結環５、６の、各一方側５ａ、６ａに、一対のホールド用紐条体３，４の一方の端部同士と、他方の端部同士とを個別に連結し、前記一方側５ａ、６ａとこれに反対の他方側５ｂ、６ｂとの間で複合連結環５、６を横断している横断連結部１３、１３に各繋ぎ紐条体１５、１６を連結することにより、繋ぎ条件を満足した上で、各連結用紐条体１１、１２は、各複合連結環５、６の前記一方側５ａ、６ａと反対の前記他方側と連結することにより、この連結した複合連結環５、６の他方側５ｂ、６ｂの動物２の前後に向く湾曲に沿って前後に移動できる自由を連結用紐条体１１、１２に与えられる。この結果、その移動できる範囲で、各連結用紐条体１１、１２は、これら連結用紐条体１１、１２の先端に連結された２つの連結環８、９が、引き紐７や係留紐の先端の１つの連結具２１と連結されて、引っ張り方向が動物２の前後方向に変化しても、自身の位置および傾き、を動物２の前後方向に変えて広範囲に追従して捻りや幅方向への曲げを受けず、移動できる範囲を超え始めて捻りや無理な傾き力を受け始める程度となるので、動物２に与える違和感や毛並みの傷み、胴輪１の耐久性を高められる。また、どんな場合でも前側のホールド用紐条体が前部側に外れるのは勿論、位置ずれするようなことはない。
【００３６】
ここで、連結用紐条体１１、１２および繋ぎ用紐条体１５、１６のそれぞれは、ホールド用紐条体３、４に比べ極く短いので長さ調節しないものとするのに対し、それらよりも長くするホールド用紐条体３、４では長さ調節可能にしている。このために、ホールド用紐条体３、４の一方の複合連結環５の一方側５ａに連結した連結端３ｃ、４ｃから他方の複合連結環６の一方側５ｂに通して折り返した折り返し部３ａ、４ａなどの途中をそれらに波打ちさせて人為的にしかスライドできないように通した公知のスライド連結具２２、２３を個別に設け、これら各スライド連結具２２、２３に対し図１、図３に示すように、ホールド用紐条体３、４の一方の複合連結環６の一方側６ａに通した箇所での折り返し部３ａ、４ａからの図３に示す折り返し端３ｂ、４ｂを個別に連結し、折り返し端３ｂ、４ｂをスライド連結具２２、２３のスライドでホールド用紐条体３、４のどの途中位置に安定させるかでスライド紐条体３、４の使用長さを調節するようにしている。この長さ調節により着用する動物２の胴回りに、ホールド用紐条体３、４および繋ぎ用紐条体１５、１６が繋ぎ具１４を含みフィットさせられるようにしている。
【００３７】
また、ホールド用紐条体３、４の途中部分間には、図１、図３に示すように、前後方向に渡した接続用紐２４の両端の輪部２４ａ、２４ｂを移動できるように通して接続し、ホールド用紐条体３、４の中央部間の間隔が広がりすぎて動物２への装着状態が、動作などの制御が甘くなり過ぎないように遊びを持ちながらも制限できるようにしている。さらに、ホールド用紐条体３、４の折り返し端３ｂ、４ｂの近くには、折返し端３ｂ、４ｂが膨らみ過ぎて複合連結環６との連結位置が長手方向に不安定になるのを防止する矩形リングである膨らみ抑え環２５を外回りに嵌め合わせてある。
【００３８】
さらに詳述すると、複合連結環５、６は、連結用紐条体１１、１２が連結される他方側５ｂ、６ｂは連結用紐条体１１、１２が動物２の前後方向に位置および傾きを変えられるよう上向きに凸となるように同前後方向に湾曲しているのが好適で、繋ぎ用紐条体１５、１６を連結する横断連結部１３は直状であるのが好適となるが、他の部分の形態は特に問うものではない。しかし、円環形態、前記一方側５ａ、６ａおよび他方側５ｂ、６ｂ間が長径となる図示例のような楕円形態ないしは図示しない長円形態などとすることができ、円環形態の複合連結環５、６では、円環形態の径の大きさ、楕円形態、長円形態の複合連結環では、長径方向、長手方向への広がり度に応じ、各連結用紐条体１１、１２の移動範囲が得られ、楕円形態、長円形態の複合連結環５、６では、特に、幅方向に大きくならない利点がある。いずれの形態でも、横断連結部１３を複合連結環５、６の前記一方側４ａ、５ａに片寄らせるほど、同じ大きさのものどうしで、他方側５ｂ、６ｂでの連結用紐条体１１、１２の移動範囲を大きくできる利点がある。
【００３９】
また、繋ぎ具１４は、繋ぎ用紐条体１５、１６の一方の先端に設けられて、他方の先端を通して針を係合させ、あるいは摩擦係止部で係止して繋ぎ合わせるバックル類など、ど
のようなものを採用してもよいが、弾性的に係合、係合解除する図３に示すような雌雄係合具であると、繋ぎ用紐条体１５、１６同士の先端部に設けられる繋ぎ具１４で繋ぎ、繋ぎ解除するのに、雌雄係合具を用いることで、それらの雌係合部材１４ａ、雄係合部材１４ｂ間の弾性的な係脱機能により簡易に実行できる。これらは、特許文献１、２にも開示された公知のものであるので詳述しない。
【００４０】
また、複合連結環福５、６の横断連結部１３は、図１、図２の例、図３の例のように複合連結環５、６に両端部が溶接やかしめ付けなどして接合されたものとすることができ、それには、金属の接合作業やかしめ付け作業を含むが、全体を線材だけで形成きる利点があり、スリムに出来上がる。この場合、図１、図２に示す例のように、横断連結部１３が、複合連結環５、６の胴輪１使用時の外側面に設けられていると、繋ぎ紐条体１１、１２は、連結用紐条体１５、１６とは複合連結環５、６上で分離独立して、ホールド用紐条体３、４を輪状に繋いで動物２の胴まわりに沿わせているだけの、外力を受けにくく、損傷しにくい耐久度の高い存在で、複合連結環５、６の外側面に位置する横断連結部１３に連結することで、その連結端１５ａ、１６ａが最も外側に突出することで、外側面から及ぶ外力を率先して受けて、それよりも内側となる一対のホールド用紐条体３、４の他方の複合連結環６との連結端部である折り返し端５ｂ、６ｂ、一方の複合連結環５との連結端部５ｃ、６ｃ、および連結用紐条体１１、１２の連結端部１１ａ、１２ａを保護することができる。この効果は、横断連結部１３が複合連結環５、６の外側面からの図３に示すような立ち上がり部を有して接合するほど高まる。
【００４１】
一方、横断連結部１３は図示しないが、複合連結環５、６の胴輪使用時の内側面に設けられているものとすることもでき、これにより、繋ぎ紐条体１５、１６は、連結用紐条体１１、１２とは複合連結環５、６上で分離独立して、ホールド用紐条体３、４を輪状に繋いで動物２の胴まわりに沿わせているだけの、外力を受けにくく、損傷しにくい耐久度の高い存在であるが、複合連結環５、６の内側面に接合された横断連結部１３に連結されることで、一対のホールド用紐条体３、４の連結端部３ａ、４ａ、折返し端３ｂ、４ｂ、および連結用紐条体１１、１２の連結端部１１ａ、１２ａよりも内側に位置して、外側に単独に突出し外力を集中にして受けるのを防止しながら、外力は最外面に位置することになる前記連結端部３ａ、４ａ、折返し端３ｂ、４ｂ、および連結用紐条体１１、１２の連結端部１１ａ、１２ａが従来通り分担しあって軽微に受けられるようになる。
【００４２】
前記図３に示す横断連結部１３は、複合連結環５、６の胴輪使用時の内外面の両側に竿状横断連結部１３ａ、１３ｂとして設けてあり、いずれも、複合連結環５、６の内外側両面からの立ち上がり部を有して個別に接合してある。これにより、繋ぎ用紐条体１５、１６は、複合連結環５の内側面に設けられた竿状横断連結部１３ａに連結することで、連結端部１５ａ、１６ａは、連結端部３ａ、４ａ、折返し端３ｂ、４ｂ、および連結用紐条体１１、１２の連結端部１１ａ、１２ａと共に、それらより外側に突出するようにした竿状横断連結部１３ｂによって外力から保護されるようにすることができる。この場合、図５、図６の例で示すように両竿状横断連結部１３ａ、１３ｂの双方に連結することで、複合連結環５、６上で自由な連結用紐条体１１、１２に対する独立姿勢を安定させられやすく、特許文献１に記載のもののように繋ぎ用紐条体および連結用紐条体が内外に位置して結着されている場合のような連結用紐条体に繋ぎ作業を邪魔されにくくなる。
【００４３】
図４、図５に示す例の横断連結部１３は、複合連結環５、６の胴輪使用時の内外面の両側に位置する竿状横断連結１３ａ、１３ｂ連続した矩形リングとして、複合連結環の横断位置外回りに嵌め合されたものとしている。このようにすると、矩形リングとした横断連結部１３は、図６に示すように複合連結環５、６の一方側５ａ、６ａに一対のホールド用紐条体３、４の一方の端部同士、および他方の端部同士を連結した状態で、複合連結環５、６にその他方側５ｂ、６ｂ側から嵌め合わせれば装着でき、その後の連結用紐条体１１、１２の他方側５ｂ、６ｂへの連結によって外れ止めされる。横断連結部１３への繋ぎ用帯状体１５、１６の連結は、図示する例のように連結用紐条体１１、１２の他方側５ｂ、６ｂへの連結前に行っておいても、連結用紐条体１１、１２の他方側５ｂ、６ｂへの連結後に行ってもよい。
【００４４】
いずれにしても、複合連結環５、６の内外側面の双方に位置する竿状横断連結部１３ａ、１３ｂが、複合連結環５の横断位置外回りに嵌め合された矩形リングであると、図３に示す例の場合に加え、さらに、複合連結環５の一対のホールド用紐条体３、４の各連結端部３ｃ、４ｃ、折返し端３ａ、４ａｂと連結用紐条体１１、１２の連結端部１１ａ、１２ａとの間で、復号連結環５，６上で揺動するので、連結用紐条体１１、１２の動物２の前後方向への移動および傾きの自由度を高められる。
【００４５】
図７、図８に示す例は、図３に示す例の複合連結環５、６において、外面の竿状横断連結部１３ｂを利用してロゴやマーク、キャラクタ、模様などの表示３１を付した例を示している。これにより、意匠性など外観が向上する。図示例では刻印しているが、シルク印刷、焼き付け、シール類の貼り付けなど表示手法、表示内容は特に問うものではない。
【００４６】
図９〜図１１は、複合連結環５、６において、一対のホールド用紐条体３、４の各連結端部３ｃ、４ｃを連結する部分である一方側５ａ、６ａを、各連結端部３ｃ、４ｃからホールド用紐条体３、４が動物の腹側に延びる方向に対してほぼ直交する向き、つまり、各連結端部３ｃ、４ｃの向きに合うように、ほぼＶ字型に形成している。これにより、各連結端部３ｃ、４ｃは、複合連結環５の一方側５ａ、６ａの所定位置に自然な状態で保持され、また、引っ張り力により一方側５ａ、６ａに圧迫されても皺が寄ったり無理な力を受けたりすることがない。特に、図１１に示す例は、図１〜図１０に示す例のような線材による複合連結環５、６に代えて、板材を内抜くなどして形成した複合連結環５、６としてある。
【００４７】
さらに、図１２、図１３に示す例は、各複合連結環５、６が、横断連結部の位置でこれらが対向し合う側に凸の屈曲点５ｄ、６ｄを有して一方の側５ａ、６ａと他方の側５ｂ、６ｂとが屈曲したものとした点で、先の図示例と異なっている。各複合連結環５、６の一方の側５ａ、６ａは、一対のホールド用紐条体３、４の一方および他方の端部同士が繋ぎ用紐条体１５、１６と輪状に繋がっての動物２への装着によって、動物２の胴部２まわりに沿わされ、動物２に苦痛や違和感を与えないのに対し、一方の側５ａ、６ａに対し上記のように屈曲している他方の側５ｂ、６ｂは、屈曲していない複合連結環５、６の場合に比べ、屈曲点５ｄ、６ｄ部、つまり横断連結部１３、１３位置から上端に向けて、動物２の胴部２ａまわりおよびそれに沿っている繋ぎ用紐条体１５、１６から離れていく姿勢、換言すると斜め方向に立ち上がっていく姿勢となる。これによって、連結用紐条体１１、１２は、複合連結環５、６の他方の側５ｂ、６ｂへの連結部が繋ぎ用紐条体１５、１６から離れて、従って接触し合うことなく、前後移動ができるようになる。また、このような複合連結環５、６の屈曲形状は、複合連結環５、６の一方の側５ａ、６ａへのホールド用紐条体３、４の連結部、他方の側５ｂ、６ｂへの連結用紐条体１１、１２の連結部、横断連結部１３、１３への繋ぎ用紐条体１５、１６の連結部、の相互間の距離を屈曲していない場合に比べて大きくするので、それぞれの連結作業の自由度を高められる。
【産業上の利用可能性】
【００４８】
本発明は、動物用の胴輪に実用して、引き紐や係留紐による動きの制限上、動物に違和感を与えたり毛並みを損なう問題や、耐久性が低下するのを防止でき、どんな場合も外れることはない。
【符号の説明】
【００４９】
１  動物用の胴輪
２  動物
２ａ  胴部
２ｂ  前足
３、４  ホールド用紐条体
５、６  複合連結環
５ａ  一方の側
５ｂ  他方の側
５ｄ、６ｄ  屈曲点
７  リード紐
８、９  連結環
１１、１２  連結用紐条体
１３  横断連結部
１３ａ、１３ｂ  竿状横断連結部
１４  繋ぎ具
１４ａ  雌係合部材
１４ｂ  雄係合部材
１５、１６  繋ぎ用紐条体
２１  連結具
【図１】
2010166902.tif 000003
【図２】
2010166902.tif 000004
【図３】
2010166902.tif 000005
【図４】
2010166902.tif 000006
【図５】
2010166902.tif 000007
【図６】
2010166902.tif 000008
【図７】
2010166902.tif 000009
【図８】
2010166902.tif 000010
【図９】
2010166902.tif 000011
【図１０】
2010166902.tif 000012
【図１１】
2010166902.tif 000013
【図１２】
2010166902.tif 000014
【図１３】
2010166902.tif 000015